(57)【特許請求の範囲】
【請求項１】
上部に操作パネルを設けた画像読取装置と、この画像読取装置の下方に印字装置とを設置し、
前記印字装置から排紙された用紙を略水平に排出するストレート排紙路と、
前記印字装置から排紙された用紙を上方に排紙する反転排紙路と、
この反転排紙路から排紙された用紙を積層状態で格納する用紙スタッカと、
この用紙スタッカの上部を略水平に覆う姿勢で前記画像読取装置に供給する原稿を載置する原稿ガイド位置と前記用紙スタッカの上部空間を開放する開放位置とに選択的に変位される原稿トレイと、前記ストレート排紙路と前記反転排紙路との分岐点に変位自在に配置され、前記原稿トレイが前記原稿ガイド位置に移動したときは、前記印字装置から排紙された用紙を前記ストレート排紙路に導くように変位し、前記原稿トレイが前記開放位置に移動したときは、前記印字装置から排紙された用紙を前記反転排紙路に導くように変位する切替爪と、と具備する画像出力装置であって、
前記画像出力装置は、前記原稿トレイの変位動作に連動して回動する可動部材と、
前記原稿トレイが前記原稿ガイド位置又は前記開放位置にあるときに前記可動部材を画像出力装置筐体に固定する突起部材とを有し、
前記原稿トレイの一部が、前記可動部材の先端部、側端部又はその双方に設けたスイッチのいずれか一つを押圧することにより前記突起部材による前記可動部材の固定を解除させ、この可動部材を回動させて前記切替爪を変位させるものである
ことを特徴とする画像出力装置。
【請求項２】
請求項１に記載の画像出力装置において、
前記画像出力装置は、前記用紙スタッカと前記操作パネルの双方に原稿トレイを固定する固定部材を設け、
前記開放位置又は前記原稿ガイド位置に移動した前記原稿トレイを、前記固定部材により固定するものである
ことを特徴とする画像出力装置。
【請求項３】
請求項２に記載の画像出力装置において、
前記固定部材は、引っ掛け形状を有するものである
ことを特徴とする画像出力装置。
【請求項４】
請求項１ないし３のいずれかに記載の画像出力装置において、
前記操作パネルは、ＬＣＤ表示可能な操作パネルであり、
前記画像出力装置は、前記用紙スタッカ側にタクトスイッチを設け、このタクトスイッチにより前記原稿トレイが前記用紙スタッカ側に倒れることを検知して前記ＬＣＤにストレート搬送路が開放されていることを表示するものである
ことを特徴とする画像出力装置。
【発明の詳細な説明】
【０００１】
【発明の属する技術分野】
本発明は、用紙排出口切替装置を有する画像出力装置に関する、さらに詳細には、用紙排出口の切替操作性を向上させる切替装置を有する画像出力装置に関するものである。
【０００２】
【従来の技術】
現在、画像出力装置には、原稿の内容を読みとる原稿読取装置と原稿の内容を信号に換えて、電子写真方式やインクジェット方式で固定された画像として出力する印字装置を備えている。こられの画像出力装置として、複写機、ファクシミリがあり、さらに、これらとファクシミリ機能を付加した多機能機が挙げられる。こられの装置で、画像を固定した用紙を排紙する場合、ほぼ水平に排紙するストレート排紙方式と上方に排紙する反転排紙方式とがある。
これらの排紙方式は、用紙の大きさ、強度及び設置個所等に対してそれぞれ利点があり、ユーザーがその使用状況により適宜選択できることが好ましい。ところが、上記のような画像出力装置では、ストレート排紙経路と反転排紙経路の両経路を有すると構造が複雑になり、コストの上昇を招くという不具合点がある。
【０００３】
このような不具合点を解決するために、たとえば特開平１１−２４３３５号広報には、原稿ガイド位置に変位させた原稿トレイにより画像読取装置への原稿の供給を可能にし、原稿トレイを上方の開放位置に変位させることで用紙スタッカの上部空間を開放し、用紙スタッカのスペースが小さくとも原稿トレイに進路を妨げられることなく、用紙を用紙スタッカに格納する画像出力装置が提案されている。
【０００４】
【発明が解決しようとする課題】
しかしながら、上記のような画像出力装置では、原稿トレイと用紙スタッカを兼用することで、切替可能にして画像出力装置のコンパクト化を図っている。そのために、図６に示すように、用紙排出中に少しでも原稿トレイの上げ下げをすると、装置内部の排紙切替爪が連動して動いてしまって用紙が切替爪と搬送路の間に挟まりジャムが発生するという問題点がある。
【０００５】
本発明の目的は、上記問題点に鑑みてなされるものであり、排紙路の切替が原稿トレイの動きに敏感に反応しすぎることを低コストに防止し、かつユーザーへの用紙搬送中の急な原稿トレイ可動を未然に防止してジャムの発生を防止する画像出力装置を提供することである
【０００６】
【課題を解決するための手段】
上記課題を解決するために、請求項１に記載の発明は、上部に操作パネルを設けた画像読取装置と、この画像読取装置の下方に印字装置とを設置し、前記印字装置から排紙された用紙を略水平に排出するストレート排紙路と、前記印字装置から排紙された用紙を上方に排紙する反転排紙路と、この反転排紙路から排紙された用紙を積層状態で格納する用紙スタッカと、この用紙スタッカの上部を略水平に覆う姿勢で前記画像読取装置に供給する原稿を載置する原稿ガイド位置と前記用紙スタッカの上部空間を開放する開放位置とに選択的に変位される原稿トレイと、前記ストレート排紙路と前記反転排紙路との分岐点に変位自在に配置され、前記原稿トレイが前記原稿ガイド位置に移動したときは、前記印字装置から排紙された用紙を前記ストレート排紙路に導くように変位し、前記原稿トレイが前記開放位置に移動したときは、前記印字装置から排紙された用紙を前記反転排紙路に導くように変位する切替爪と、と具備する画像出力装置であって、前記画像出力装置は、前記原稿トレイの変位動作に連動して回動する可動部材と、前記原稿トレイが前記原稿ガイド位置又は前記開放位置にあるときに前記可動部材を画像出力装置筐体に固定する突起部材と、を有し、前記原稿トレイの一部が、前記可動部材の先端部、側端部又はその双方に設けたスイッチのいずれか一つを押圧することにより前記突起部材による前記可動部材の固定を解除させ、この可動部材を回動させて前記切替爪を変位させる画像出力装置とする。  請求項２に記載の発明は、請求項１に記載の画像出力装置において、前記画像出力装置は、前記用紙スタッカと前記操作パネルの双方に原稿トレイを固定する固定部材を設け、  前記開放位置又は前記原稿ガイド位置に移動した前記原稿トレイを、前記固定部材により固定する画像出力装置である。請求項３に記載の発明は、請求項２に記載の画像出力装置において、前記固定部材は、引っ掛け形状を有する画像出力装置である。請求項４に記載の発明は、請求項１ないし３のいずれかに記載の画像出力装置において、前記操作パネルは、ＬＣＤ表示可能な操作パネルであり、前記画像出力装置は、前記用紙スタッカ側にタクトスイッチを設け、このタクトスイッチにより前記原稿トレイが前記用紙スタッカ側に倒れることを検知して前記ＬＣＤにストレート搬送路が開放されていることを表示する画像出力装置である。
【０００７】
【発明の実施の形態】
以下、本発明の実施の形態を図面に基づいて詳細に説明する。
図１は、請求項１ないし３に記載の発明の一実施形態である画像出力装置の構成を示す概略図である。図２は、請求項１に記載の発明の一実施形態である画像出力装置で、用紙搬送経路の切替の動作状態を示す概略図である。
上部に操作パネルＰを取りつけた画像読取装置２を配設し、その下方に印字装置３を設置する画像出力装置１である。この画像出力装置１は、画像出力装置１には原稿の画像を読み取る画像読取装置２が装着され、画像出力装置１の内部には印字装置３が着脱自在に装着されている。印字装置３の下方には、用紙を案内する用紙搬送路４が形成されている。
画像読取装置２は、画像読取部５と、この画像読取部５に原稿を供給する原稿トレイ６とを有し、この原稿トレイ６は、支点軸７を中心として実線で示した水平位置と二点鎖線で示した起立位置とへ回動し得るように支持されている。
前記印字装置３は、感光体ドラム９と現像ユニット１１とを連結したケース１０内に各種のプロセス部材を収納したもので、感光体ドラム９内には、回転駆動される感光体ドラム１１と、この感光体ドラム１１の周囲を一様に帯電させる帯電ローラ１０等が収納されている。現像ユニット１１内には、現像剤を収納する現像剤収納部１３が一体に形成され、この現像剤収納部１３内の現像剤を撹拌するアジテータ１４、前記感光体ドラム１１の外周面に接する現像ローラ１５、現像剤収納部１３内の現像剤を現像ローラ１５へ補給する補給ローラ１６、現像ローラ１５の外周面に接触する現像ブレード１７等が収納されている。
【０００８】
画像出力装置１内における印字装置３の周囲には、前記感光体ドラム１１の外周面に静電潜像を形成する光学ユニット１８、現像ローラ１５から現像剤を供給されて顕像化された感光体ドラム１１上のトナー像を用紙に転写させる転写部材である転写ローラ１９、用紙を斜めに載置した状態で支える給紙トレイ１９、用紙を給紙する給紙ローラ２１、給紙された用紙に転写されたトナー像を定着させる定着ユニット２５を通過した用紙が排紙される。
【０００９】
原稿トレイ６を原稿ガイド位置に変位させて用紙スタッカ２６の上部を覆ったときは、切替爪３１により用紙Ｓを水平なストレート排紙路２８に向けて排紙でき、原稿トレイ６を操作パネルＰに倒したとき、切替爪３１により反転排紙路２９に向けて排紙できる。ここで、原稿トレイ６に連動する可動部材３５を設けている。これには、操作部側に倒したときと、用紙スタッカ２６の上部を覆ったときに可動部材３５を固定できるように突起部材３５ａが形成されていて、原稿トレイ６を操作パネルＰに倒したときスイッチ３５ｂが押されて前記突起部材３５ａが外れて反転排紙路２９に向けて排紙できるように切替爪３１が閉じる。また、原稿トレイ６が用紙スタッカ２６を覆ったときスイッチ３５ｃが押されて、前記突起部材３５ａが外れて可動部材３５が回動し切替爪３１が、ストレート排紙路２８に向けて排紙できるように切替爪３１が開くようになっている。
【００１０】
これにより、原稿ガイド位置に変位させた原稿トレイ６により画像読取装置２への原稿の供給を可能にし、原稿トレイ６を上方の開放位置に変位させることで用紙スタッカ２６の上部の空間を開放する。そのために、用紙スタッカ２６のスペースが小さくても原稿トレイ６に進路を妨げられることなく用紙を用紙スタッカ６に格納するようにする。また、画像出力装置１の全高寸法を低くしてコンパクト化を図ることが出来る。さらに、原稿トレイ６を原稿ガイド位置に変位させて用紙スタッカ２６の上部を覆ったときは、切替爪３１により用紙を水平なストレート排紙路に向けて排紙できるようにする。これにより、原稿トレイ６を用紙スタッカ２６の上部空間を開放する位置から、原稿ガイド位置に変位させる動作を一旦しかけ、途中で戻す動作をすることにより、切替爪３１とストレート排紙路の間に用紙が挟まれることによるジャムを未然に防止するために、ユーザーが不用意に原稿トレイ６を可動させても、完全にセット位置までいかないうちは搬送路切替をしないようにする。
【００１１】
図３は、請求項２及び請求項３に記載の発明の一実施形態である画像出力装置１の構成を示す概略図である。図４は、上記発明の画像出力装置１に配置するスナップフィットの構成を示す概略図である。
用紙スタッカ２６と操作パネルＰの両方にスナップフィット引っ掛け形状３６を形成し、原稿トレイ６が用紙スタッカ２６に倒しても、操作パネルＰに倒しても固定される。これにより、ユーザーが不用意に原稿トレイ６を動かしたり、振動による原稿トレイ６のバタツキを押えている。
【００１２】
ここでは、原稿トレイ６を用紙スタッカ２６の上部空間を開放する位置から、原稿ガイド位置に変位させる動作を一旦しかけ、途中で戻す動作は、人為的に行われる場合もあるが、周りの振動による原稿トレイのバタツキにより生ずる場合もある。切替爪３１とストレート排紙路の間に用紙が挟まれることによるジャムを未然に防止するために、ユーザーが不用意に原稿トレイ６を可動させても、完全にセット位置までいかないうちは搬送路切替をしない機構と共に、各停止位置に誤操作防止と振動による原稿トレイ６のバタツキを押えるために固定する機構とを有する。
【００１３】
図５は、請求項４に記載の発明の一実施形態である画像出力装置１の構成を示す概略図である。
上部にＬＣＤ表示可能な操作パネルＰを取りつけた画像読取装置２を配設し、その下方に印字装置３を設置し、原稿トレイ６を原稿ガイド位置に変位させて用紙スタッカ２６の上部を覆ったときは、切替爪３１により用紙Ｓを水平なストレート排紙路２８に向けて排紙でき、原稿トレイ６を操作パネルＰに倒したとき切替爪３１により反転排紙路２９に向けて排紙できる機能を有する画像出力装置において、用紙スタッカ２６側にタクトスイッチ３７を設け、原稿トレイ６が用紙スタッカ２６側に倒したことを検知してＬＣＤにストレート搬送路開放であることを表示する。ＬＣＤの表示内容は、ストレート排紙経路が開放されている場合は「ストレート排紙モード」、ストレート排紙経路が閉鎖され、反転排紙経路が開放されている場合は「反転排紙モード」等のユーザーが理解できるものであればよい。
【００１４】
ここでは、原稿トレイ６を用紙スタッカ２６の上部空間を開放する位置から、原稿ガイド位置に変位させる動作を一旦しかけ、途中で戻す動作をすることにより、切替爪３１とストレート排紙路の間に用紙が挟まれることによるジャムを未然に防止するために、ユーザーが不用意に原稿トレイ６を可動させても、完全にセット位置までいかないうちは搬送路切替をしないようにし、かつ操作パネルＰのＬＣＤに誤操作防止のためのユーザーへの表示するようにする。
【００１５】
【発明の効果】
以上説明したように、請求項１に記載の画像出力装置では、ユーザーが不用意に原稿トレイを可動させても、完全にセット位置までいかないうちは搬送路切替をしないため、原稿トレイを用紙スタッカの上部空間を開放する位置から、原稿ガイド位置に変位させる動作を一旦しかけ、途中で戻す動作をすることにより、切替爪とストレート排紙路の間に用紙が挟まれることによるジャムを未然に防止できる。
請求項２及び請求項３に記載の画像出力装置では、ユーザーが不用意に原稿トレイを可動させても、完全にセット位置までいかないうちは搬送路切替をしない機構と、かつ各停止位置に誤操作防止と振動による原稿トレイのバタツキを押えるのための固定部材を有するため、原稿トレイを用紙スタッカの上部空間を開放する位置から、原稿ガイド位置に変位させる動作を一旦しかけ、途中で戻す動作（人為的、周りの振動による原稿トレイのバタツキ）をすることにより、切替爪とストレート排紙路の間に用紙が挟まれることによるジャムを未然に防止することができる。
請求項４に記載の画像出力装置では、ユーザーが不用意に原稿トレイを可動させても、完全にセット位置までいかないうちは搬送路切替をしない機構と、かつ操作パネルのＬＣＤに誤操作防止のためのユーザーへの表示機構を有するため、原稿トレイを用紙スタッカの上部空間を開放する位置から、原稿ガイド位置に変位させる動作を一旦しかけ、途中で戻す動作をすることにより、切替爪とストレート排紙路の間に用紙が挟まれることによるジャムを未然に防止することができる。
【図面の簡単な説明】
【図１】請求項１ないし４に記載の発明の一実施形態である画像出力装置の構成を示す概略図である。
【図２】請求項１に記載の発明の一実施形態である画像出力装置で、用紙搬送経路の切替の動作状態を示す概略図である。
【図３】請求項２及び請求項３に記載の発明の一実施形態である画像出力装置の構成を示す概略図である。
【図４】上記発明の画像出力装置に配置するスナップフィットの構成を示す概略図である。
【図５】請求項４に記載の発明の一実施形態である画像出力装置の構成を示す概略図である。
【図６】従来技術である搬送経路切替装置による動作を示す概略図である。
【符号の説明】
１  画像出力装置
２  画像読取装置
３  印字装置
４  用紙搬送ガイド
５  読取ユニット
６  原稿トレイ
７  原稿トレイ回転支点
８  クリーニングユニット
９  感光体ドラム
１０  帯電ローラ
１１  現像ユニット
１２  転写ローラ
１３  トナー
１４  トナー攪拌部材
１５  現像ローラ
１６  補給ローラ
１７  現像ブレード
１８  光学ユニット
１９  給紙トレイ
２０  給紙ローラ
２１  給紙底板
２２  残用紙戻しストッパ
２３  給紙対向コロ
２４  オプション給紙用搬送ガイド
２５  定着ユニット
２６  用紙スタッカ
２７  用紙スタッカ底板
２８  ストレート排紙路
２９  反転排紙路
３０  排紙ローラ
３１  切替爪
３３  反転排紙ガイド
３５  切替可動部材
３５ａ  突起部材
３５ｂ  スイッチ
３５ｃ  スイッチ
３６  固定部材
３７  タクトスイッチ
４０  操作部
４１  スプリング
Ｓ  原稿
Ｄ  用紙
Ｐ  操作パネル
Ｐ‘  ＬＣＤ表示部
【図１】
0003925687.tif 000002
【図２】
0003925687.tif 000003
【図３】
0003925687.tif 000004
【図４】
0003925687.tif 000005
【図５】
0003925687.tif 000006
【図６】
0003925687.tif 000007